(57)【特許請求の範囲】
【請求項１】
断裁で断裁粉や断裁片が生じる被断裁部材を細片化して断裁片を収納する可撓性の断裁片収納袋をシュレッダに装着させ、取り出させる断裁片収納袋保持具であって、
前記シュレッダ内に取り付けるマグネットを備え、前記断裁片収納袋の開口側を内側より通させる枠部と、
前記枠部の所定の一辺側に配置されて対向する辺側に対して移動自在に設けられ、当該枠部の内側より通された前記断裁片収納袋の開口側を、前記シュレッダ内で当該対向する辺側に移動させて閉じる開閉レバーが形成された開閉バーを備える少なくとも一の可動開閉部と、
を有することを特徴とする断裁片収納袋保持具。
【請求項２】
請求項１記載の断裁片収納袋保持具であって、二つの前記可動開閉部が前記枠部の対向する二辺側に対向して移動自在に設けられ、当該二つの可動開閉部を移動させて当接させることで前記断裁片収納袋の開口側を閉じることを特徴とする断裁片収納袋保持具。
【請求項３】
被断裁部材を細片化して断裁片を収納するシュレッダであって、
請求項１又は２記載の断裁片収納袋保持具が装着されることを特徴とするシュレッダ。
【発明の詳細な説明】
【技術分野】
【０００１】
本発明は、被断裁部材をシュレッダで細片化して断裁片を収納袋に収納するに際して使用される断裁片収納袋保持具及びこれが装着されるシュレッダに関する。
【背景技術】
【０００２】
近年、秘匿情報が表記された用紙やインクリボンを使用するプリンタでの使用済みの印字跡が残っているインクリボンなどの被断裁部材をシュレッダにより判読不能に断裁して細片化することが一般的に行われている。このような被断裁部材をシュレッダで細片化した断裁片を収納部に収納し、当該収納部を装置本体より取り出すに際して収納部からの断裁片や断裁粉の飛散を防止することが望まれる。
【０００３】
従来、シュレッダとして以下の特許文献１に記載されているものが知られている。特許文献１には、ケーシングの開閉体を開いたときに可撓性シャッターによりカッターと細断屑収容器の間を閉鎖し、細断屑収容器をケーシング本体外に取り出したときにカッターから落下する細断屑を可撓性シャッターによって受け止め、その細断屑がケーシング本体内に散乱することを防止するシュレッダの構成が記載されている。
【先行技術文献】
【特許文献】
【０００４】
【特許文献１】特開２００１−０２９８２３号公報
【発明の概要】
【発明が解決しようとする課題】
【０００５】
しかしながら、特許文献１に記載されている可撓性シャッターは、カッター部分からケーシング本体内に細断屑が散乱することを防止すものであって、細断屑収容器をケーシング本体より取り出す時や取り出した時に細断で生じた細断粉が舞ってしまうという問題があると共に、特に薄い紙片やインクリボンなどの特に薄いフィルムの細断片が舞って細断屑収容器より飛散することがあるという問題がある。
【０００６】
そこで、本発明は上記課題に鑑みなされたもので、断裁片を収納する収納袋のシュレッダからの取り出しに関して紙粉や断裁粉の飛散を防止する断裁片収納袋保持具及びこれが装着されるシュレッダを提供することを目的とする。
【課題を解決するための手段】
【０００７】
上記課題を解決するために、請求項１の発明では、断裁で断裁粉や断裁片が生じる被断裁部材を細片化して断裁片を収納する可撓性の断裁片収納袋をシュレッダに装着させ、取り出させる断裁片収納袋保持具であって、前記シュレッダ内に取り付けるマグネットを備え、前記断裁片収納袋の開口側を内側より通させる枠部と、前記枠部の所定の一辺側に配置されて対向する辺側に対して移動自在に設けられ、当該枠部の内側より通された前記断裁片収納袋の開口側を、前記シュレッダ内で当該対向する辺側に移動させて閉じる開閉レバーが形成された開閉バーを備える少なくとも一の可動開閉部と、を有する構成とする。
【０００８】
請求項２の発明では、二つの前記可動開閉部が前記枠部の対向する二辺側に対向して移動自在に設けられ、当該二つの可動開閉部を移動させて当接させることで前記断裁片収納袋の開口側を閉じる構成とする。
【０００９】
請求項３の発明では、被断裁部材を細片化して断裁片を収納するシュレッダであって、請求項１又は２記載の断裁片収納袋保持具が装着される構成とする。
【発明の効果】
【００１０】
請求項１，２の発明によれば、シュレッダ内に取り付けるマグネットを備える枠部の所定の一辺側又は対向する二辺側に単一又は二つの開閉レバーが形成された開閉バーを備える可動開閉部が配置されてシュレッダ内で対向する辺側に対してガイド部により移動自在に設けられ、当該単一又は二つの可動開閉部を当該対向する辺側に移動させて枠部の内側より通された断裁片収納袋の開口側を閉じる構成とすることにより、断裁で断裁粉や断裁片が生じる被断裁部材を細片化して断裁片を収納する可撓性の断裁片収納袋をシュレッダより取り出す時や取り出した時には断裁収納袋の開口側を閉じさせることが可能となり、断裁で生じた断裁粉や断裁片の空間への飛散を確実に防止することができるものである。
【００１１】
請求項３の発明によれば、請求項１又は２の断裁片収納袋保持具を装着させることにより、取り出し時や取り出し後に、断裁片や断裁粉の装置内での散乱することを防止することができると共に、空間への飛散を確実に防止することができるものである。
【図面の簡単な説明】
【００１２】
【図１】本発明に係る断裁片収納袋保持具が装着されるシュレッダの構成説明図である。
【図２】図１の断裁片収納袋保持具の構成説明図である。
【図３】図２の断裁片収納袋保持具における袋装着の説明図である。
【図４】図２の断裁片収納袋保持具のシュレッダでの使用形態の説明図である。
【図５】図２の断裁片収納袋保持具のシュレッダ内における断裁終了後の説明図である。
【図６】図５の断裁片収納袋保持具の取り出し状態の説明図である。
【図７】図２の断裁片収納袋保持具の他の形態の構成説明図である。
【発明を実施するための形態】
【００１３】
以下、本発明の実施形態を図により説明する。本実施形態では、被断裁部材を使用済みのインクリボンとして説明するが、用紙やインクリボン以外の樹脂フィルムやＦＤ、ＣＤ、ＤＶＤ、ＢＤ等の記録媒体（プラスチック材等）においても適用できるものである。なお、本実施形態において、断裁片収納袋保持部の備える可動開閉部を二つで構成した場合を図１〜図６で示し、可動開閉部を単一で構成した場合を図７で説明する。
【００１４】
図１に本発明に係る断裁片収納袋保持具が装着されるシュレッダの構成説明図を示すと共に、図２に図１の断裁片収納袋保持具の構成説明図を示す。図１（Ａ）はインクリボン用シュレッダの全体斜視図、図１（Ｂ）は概略断面図である。図１（Ａ）において、シュレッダ１１は、プリンタで使用されたロール状のインクリボンを細片化によるインクリボン屑として収納回収させるものであって、インクリボンを連続的に供給する供給部１２及び断裁本体１３により構成され、供給部１２は断裁本体１３と分離自在に載置状態で位置される。
【００１５】
断裁本体１３の前面に断裁片収納袋保持具を装着、取り出しを行ための扉１４が設けられる。また、断裁本体１３の上面には供給部１２から供給される連続のインクリボンを受け入れる受入部１５が形成されると共に、所定箇所に電源スイッチ１６や操作パネル１７が設けられている。
【００１６】
断裁本体１３の内部は、上記受入部１５に連なる断裁領域部１８と、当該断裁領域部１８の下方に断裁片収納領域部１９とが設けられ、当該断裁片収納領域部１９の天板奥側に後述する断裁片収納袋保持具（２３）の枠部（３１）における把持部（３２）の対向枠の一部（略中央部分）を係合載置する係合部２０が設けられる。なお、当該係合部２０は、係合載置させた断裁片収納袋保持具（２３）が断裁片収納領域部１９の天板に対して断裁片収納袋（２２）の開口側を閉じる際に必要な隙間が生じるように設けられる。また、上記断裁領域部１８にはカッタ部２１が配置される。そして、断裁片収納領域部１９には、可撓性（例えば、ビニル製）の断裁片収納袋２２がセットされた断裁片収納袋保持具２３が装着される（図３、図４で説明する）。なお、カッタ部２１などの駆動系の構成は省略する。
【００１７】
断裁片収納袋保持具２３は、図２（Ａ）、（Ｂ）に示すように、上記断裁領域部１８から断裁片収納領域部１９に掛かる開口の大きさと同大以上の開口大の、例えば角状の枠部３１を備え、後述する断裁片収納袋の開口側を内側より通される。当該枠部３１の所定の一辺側に把持部３２が一体的に形成され、当該把持部３２が形成されている辺及びそれに対向する辺にガイド板３３Ａ，３３Ｂが設けられる。当該ガイド板３３Ａ，３３Ｂのそれぞれ端部から中央部分にかけてガイド溝３４Ａ−１，３４Ａ−２，３４Ｂ−１，３４Ｂ−２が形成される。当該ガイド板３３Ａ，３３Ｂ及びガイド溝３４Ａ−１，３４Ａ−２，３４Ｂ−１，３４Ｂ−２によりガイド部を構成する。なお、枠部３１にガイド溝３４Ａ−１，３４Ａ−２，３４Ｂ−１，３４Ｂ−２を備えるガイド板３３Ａ、３３Ｂを必ずしも設けなくともよい。例えば、後述の可動開閉部３５Ａ，３５Ｂの両端部を輪形状として枠部３１に通す構造としてもよいものであり、その他、適宜ガイド構造とすることが可能である。
【００１８】
一方、上記把持部３２が形成された辺の両隣の各辺に同一構成の可動開閉部３５Ａ，３５Ｂが配置される。また、当該把持部３２には断裁片収納領域部１９の天板（磁着可能な金属製）に磁着させる固定部材としてのマグネット３６が設けられる。なお、マグネット３６を枠部３１に設けてもよい。
【００１９】
上記それぞれの可動開閉部３５Ａ，３５Ｂは、図２（Ｃ）に示すように、枠部３１の辺の長さに応じた開閉バー４１で構成され、当該開閉バー４１はテーパ面から下垂直方向に閉じ面４１Ａが一体的に形成される。当該閉じ面４１の一部分の下方に延出部４２が形成され、当該延出部４２より外側に向かった角度の開閉レバー４３が連続的に形成される。上記延出部４２の中央部分以外の位置にはマグネット４４が設けられるもので、少なくとも当該延出部４２は磁着可能な金属製で形成される。当該マグネット４４を設けなくともよいが、断裁片収納袋２２の開口側２２Ａを確実に閉じる意味で好ましい。そして、開閉バー４１の両端には、長手方向と同一方向の係合シャフト４５Ａ，４５Ｂが形成される。
【００２０】
すなわち、上記各可動開閉部３５Ａ，３５Ｂは、枠部３１の内側に、互いの閉じ面４１Ａを対向させ、各係合シャフト４５Ａ，４５Ｂが対応するガイド溝３４Ａ−１，３４Ａ−２，３４Ｂ−１，３４Ｂ−２に係合支持されて配置されるもので、当該可動開閉部３５Ａ，３５Ｂはガイド溝３４Ａ−１，３４Ａ−２，３４Ｂ−１，３４Ｂ−２に沿って移動自在となる。そして、各可動開閉部３５Ａ，３５Ｂの閉じ面４１Ａ同士が当接したときに各マグネット４４が相手側の延出部４２に磁着されることによって、断裁片収納袋２２の開口側を閉じることとなるものである（図５（Ｂ）、図６で説明する）。
【００２１】
そこで、図３に図２の断裁片収納袋保持具における袋装着の説明図、図４に図２の断裁片収納袋保持具のシュレッダでの使用形態の説明図、図５に図２の断裁片収納袋保持具のシュレッダ内における断裁終了後の説明図、図６に図５の断裁片収納袋保持具の取り出し状態の説明図を示す。まず、図３（Ａ）、（Ｂ）に示すように、可動開閉部３５Ａ，３５Ｂを枠部３１の各辺側に移動させ、当該枠部３１の内側より断裁片収納袋２２の開口側２２Ａを開いて通させる。
【００２２】
続いて、断裁片収納袋２２を添えながら把持部３２を持ち、図４（Ａ）に示すように、扉１４が開けられたシュレッダ１１の断裁片収納領域部１９の奥側天板に設けられた係合部２０に先端部分（把持部３２の対向側）の略中央部分を押し込んで係合載置させ（Ｉ）、把持部３２を持ち上げるようにマグネット３６により断裁片収納領域部１９の手前天板に磁着させることで当該断裁片収納袋２２が断裁片収納袋保持具２３ごと装着される（ＩＩ）。
【００２３】
そこで、図４（Ｂ）に示すように、供給部１２に使用済みの各インクリボンロール５１がそれぞれセットされて、これらの先端部分が合わされて受入部１５より断裁領域部１８のカッタ部２１まで挿入され、電源スイッチ１６が投入されることでカッタ部２１が回転駆動される。各インクリボンロール５１は、連続的にカッタ部２１によって断裁されて細片化され、断裁片５２として断裁片収納袋２２内に落下して収納される。
【００２４】
断裁片収納袋２２が断裁片５２を所定量収納した場合、扉側より見た図５（Ａ）、（Ｂ）に示すように、扉１４を開け、断裁片収納袋保持具２３における各可動開閉部３５Ａ，３５Ｂの各開閉レバー４３を枠部３１の内側に移動させ、当該各可動開閉部３５Ａ，３５Ｂの各閉じ面４１Ａを当接させて延出部４２同士を各マグネット４４により磁着させることで当該断裁片収納袋２２の開口側２２Ａが閉じられることとなる。
【００２５】
そこで、図４（Ａ）の反対動作（ＩＩ→Ｉ）で開口側２２Ａが閉じられた断裁片収納袋２２を断裁片収納袋保持具２３ごと取り出した状態が図６に示される。そして、当該断裁片収納袋２２の開口側２２Ａを、例えば結び綴じした後、各可動開閉部３５Ａ，３５Ｂの各開閉レバー４３を枠部３１の辺側に移動させることで解放させ、断裁片５２を収納した断裁片収納袋２２が当該断裁片収納袋保持具２３より分離されて廃棄されるものである。
【００２６】
次に、図７に、図２の断裁片収納袋保持具の他の形態の構成説明図を示す。図７に示す実施形態は、単一の可動開閉部３５Ａで断裁片収納袋保持具２３を構成した場合を示したもので、可動開閉部３５Ａ自体は図２と同様の構成である。図７（Ａ）、（Ｂ）において、断裁片収納袋保持具２３は、単一の可動開閉部３５Ａに対して、ガイド板３３Ａ，３３Ｂに、辺の長さに応じたそれぞれ単一のガイド溝３４Ａ−１，３４Ｂ−１が形成される。
【００２７】
また、上記可動開閉部３５Ａが初期配置される辺の対向辺に、下垂直面で辺の長さに応じた受け部材３７が形成されると共に、当該可動開閉部３５Ａの延出部４２に対応した少なくとも磁着可能な金属製の延出部３７Ａが形成されたもので、当該延出部３７Ａには、当該可動開閉部３５Ａの延出部４２に設けられたマグネット４４に対応する位置以外の位置にマグネット３８が設けられたものである。
【００２８】
このような断裁片収納袋保持具２３は、断裁片収納袋２２が断裁片５２を所定量収納したときに、図７（Ｃ）に示すように、断裁片収納袋保持具２３における可動開閉部３５Ａの開閉レバー４３により開閉バー４１を枠部３１の受け部材３７まで移動させ、当該可動開閉部３５Ａの閉じ面４１Ａを受け部材３７に当接させてマグネット４４で延出部３７Ａに磁着させると共に、マグネット３８で可動開閉部３５Ａの延出部４２に磁着させることで当該断裁片収納袋２２の開口側２２Ａが閉じられることとなるものである。
【００２９】
このように、断裁片収納袋２２をシュレッダ１１より取り出す時や取り出した時に断裁収納袋２２の開口側２２Ａを閉じさせることが可能となり、断裁で生じた断裁粉や断裁片５２の断裁片収納領域部１９内への散乱や取り出し後の空間への飛散を確実に防止することができるものである。
【産業上の利用可能性】
【００３０】
本発明のシュレッダ用の断裁片収納袋保持具は、被断裁部材を連続で細片化させるシュレッダの製造、販売、使用等の産業に利用可能である。
【符号の説明】
【００３１】
１１            シュレッダ
１２            供給部
１３            断裁本体
１４            扉
１５            受入部
１６            電源スイッチ
１７            操作パネル
１８            断裁領域部
１９            断裁片収納領域部
２０            係合部
２１            カッタ部
２２            断裁片収納袋
２２Ａ          開口側
２３            断裁片収納袋保持具
３１            枠部
３２            把持部
３３Ａ，３３Ｂ  ガイド板
３４Ａ，３４Ｂ  ガイド溝
３５Ａ、３５Ｂ  可動開閉部
３６            マグネット
３７            受け部材
３７Ａ          延出部
３８            マグネット
４１            開閉バー
４１Ａ          閉じ面
４２            延出部
４３            開閉レバー
４４            マグネット
４５Ａ，４５Ｂ  係合シャフト
５１            インクリボンロール
５２            断裁片
【図１】
0006667941.tif 000002
【図２】
0006667941.tif 000003
【図３】
0006667941.tif 000004
【図４】
0006667941.tif 000005
【図５】
0006667941.tif 000006
【図６】
0006667941.tif 000007
【図７】
0006667941.tif 000008